(57)【要約】      （修正有）【課題】ブレスレットの側面にピン、ネジなどの組み立て構成要素や挿入孔がない、またはこの連結部に特有の構成がない、組み立て式ブレスレットの製造方法を提供する。【解決手段】第１の駒３と第２の駒４との間に連結部１０を備え、第２の駒は、第１の駒の側部フランジ５の間にある開口で回動する舌片を有し、第１の駒の側部フランジは、共に二重Ｕ字鍵状取付部を形成し、連結部で、第１の駒あるいは第２の駒はそれぞれ、少なくとも１つの外トラニオンあるいは少なくとも１つの内トラニオン７４を備え、外トラニオンあるいは内トラニオンはそれぞれ、第２の駒の内ハーフベアリングあるいは第１の駒の外ハーフベアリング８３で回動するように構成され、第２の駒あるいは第１の駒はそれぞれ、少なくとも上部および下部３９を有し、上部および下部は、両者の間に各々の外トラニオンあるいは各々の内トラニオンを閉じ込めて隠すように構成される。【選択図】図３
2020065921.tif 000002
【特許請求の範囲】
【請求項１】
連結駒（２）を有するブレスレット（１）であって、少なくとも第１の駒（３）および第２の駒（４）を備え、前記第１の駒（３）と前記第２の駒（４）との間に少なくとも１つの連結部（１０）を備え、前記第２の駒は、側部フランジ（５；６）の間にある開口（９０）で回動するように構成される舌片（９）を有し、前記側部フランジは共に二重Ｕ字鍵状取付部を形成し、少なくとも１つの前記連結部（１０）で、前記第１の駒（３）あるいは前記第２の駒（４）はそれぞれ、少なくとも１つの外トラニオン（７３）あるいは少なくとも１つの内トラニオン（７４）を備え、前記外トラニオン（７３）あるいは内トラニオン（７４）はそれぞれ、前記第２の駒（４）に設けられた少なくとも１つの内ハーフベアリング（８４）、あるいは前記第１の駒（３）に設けられた少なくとも１つの外ハーフベアリング（８３）で回動するように構成され、前記第２の駒（４）あるいは前記第１の駒（３）はそれぞれ、少なくとも上部（４８、３８）および下部（４９、３９）を有し、前記上部（４８、３８）および下部（４９、３９）は、両者の間に各々の前記外トラニオン（７３）あるいは各々の前記内トラニオン（７４）を閉じ込めて隠すように構成される、ブレスレットにおいて、少なくとも１つの前記連結部（１０）で、１つの前記外トラニオン（７３）あるいは少なくとも１つの内トラニオン（７４）はそれぞれ、前記第１の駒（３）あるいは前記第２の駒（４）と一体の部品であることを特徴とする、ブレスレット（１）。
【請求項２】
前記上部（４８、３８）および前記下部（４９、３９）は、互いに取り外せないように組み合わされ、各々の前記外トラニオン（７３）あるいは各々の前記内トラニオン（７４）の周りで分解できないことを特徴とする、請求項１に記載のブレスレット（１）。
【請求項３】
少なくとも１つの前記連結部（１０）で、１つの前記外トラニオン（７３）あるいは少なくとも１つの内トラニオン（７４）はそれぞれ、前記第１の駒（３）、あるいは前記第２の駒（４）に設けられたハウジング（７３０；７４０）内に配置されることを特徴とする、請求項１に記載のブレスレット（１）。
【請求項４】
少なくとも１つの連結部（１０）で、１つの前記外トラニオン（７３）あるいは少なくとも１つの内トラニオン（７４）は、十字型トラニオンであり、前記側部フランジ（５；６）の間で互いに接合することを特徴とする、請求項３に記載のブレスレット（１）。
【請求項５】
前記第１の駒（３）は、前記側部フランジ（５；６）を接合する横材（９１）を備えている外側のＨ字型駒であることと、前記第２の駒（４）は、前記横材（９１）に重なって配置されるか前記横材（９１）の延長上に配置されるように構成される内駒であることとを特徴とする、請求項１に記載のブレスレット（１）。
【請求項６】
前記第１の駒（３）および前記第２の駒（４）は、同じもので、Ｙ字型であることを特徴とする、請求項１に記載のブレスレット（１）。
【請求項７】
少なくとも１つの前記上部（４８；３８）および／または１つの前記下部（４９；３９）は、セラミック製であることを特徴とする、請求項１に記載のブレスレット（１）。
【請求項８】
前記上部（４８；３８）はすべてセラミック製であることを特徴とする、請求項７に記載のブレスレット（１）。
【請求項９】
前記下部（４９；３９）はすべてセラミック製であることを特徴とする、請求項７に記載のブレスレット（１）。
【請求項１０】
前記上部（４８；３８）および前記下部（４９；３９）はすべてセラミック製であることを特徴とする、請求項７に記載のブレスレット（１）。
【請求項１１】
請求項２に記載のブレスレット（１）を備えている腕時計（１００）。
【請求項１２】
請求項２に記載のブレスレット（１）を備えている宝飾片（２００）。
【請求項１３】
請求項１に記載の連結式ブレスレット（１）を組み立てる方法であって、
−連結軸を画定する少なくとも１つのハーフベアリングを有する二部構成雌型駒の下部を設け、
−別の雄型駒であって、回転ベアリング構成でハーフベアリングと協働でき、前記ハーフベアリングに挿入される少なくとも１つのトラニオンを備えている雄型駒を前記下部の上に配置し、
−連結軸を画定し、回転ベアリング構成で前記トラニオンと協働するように構成された少なくとも１つのハーフベアリングを有する、前記下部の補完片である同じ二部構成駒の上部を設け、
−前記雄型駒の各々のトラニオンを、少なくとも前記連結軸に沿って、前記下部と前記上部との間で閉じ込め、
−前記下部と前記上部とを互いに固定し、
−前記作業を前記ブレスレットの各々の連結式接合部に対して繰り返す
ことを特徴とする方法。
【請求項１４】
前記下部および前記上部は、取り外せないよう互いに接合され、分解できないことを特徴とする、請求項１３に記載の方法。
【発明の詳細な説明】
【技術分野】
【０００１】
本発明は、連結駒のブレスレットであって、少なくとも第１の駒および第２の駒を備え、かつ上記第１の駒と上記第２の駒との間に少なくとも１つの連結部を備え、第２の駒は、上記第１の駒の側部フランジの間にある開口で回動するように構成された舌片を有し、側部フランジは共に二重Ｕ字鍵状取付部を形成する、連結駒のブレスレットに関する。
【０００２】
本発明は、この種のブレスレットを備えている腕時計にも関する。
【０００３】
本発明は、この種のブレスレットを備えている宝飾品にも関する。
【０００４】
本発明は、この種のブレスレットを組み立てる方法にも関する。
【０００５】
本発明は、時計および宝石、さらに詳細には、腕時計または宝飾品を着用するための連結式ブレスレットの分野に関する。
【背景技術】
【０００６】
腕時計または宝飾品用の連結式ブレスレットは、通常、側面に挿入されるピンを備えており、ピンは、圧入および／または粘着性接着によって組み立てた後も見えたままである。多くの場合、ピンの直径は大きいため、そのようなピンは見苦しくなり、ピンの寸法をどれだけ小さくしても組み立ておよび分解が困難になる。さらに、これらのピンのハウジングは、粉塵およびグリースが蓄積する領域となり、これは超音波洗浄以外では除去することが困難である。
【０００７】
ＣＨＡＴＥＬＡＩＮの名による欧州特許出願第０２４３３１５Ａ１号（特許文献１）は、特に腕時計用の連結駒のブレスレットを開示している。駒は、極めて硬い材料でできている要素上で連結され、特にこの極めて硬い要素はルビーである。連結部は、第１の駒と一体化した極めて硬い要素内で回転できる軸を備えている。軸は、第１の駒に隣接している第２の駒と一体化し、第２の駒にある突出部と協働する軸方向に位置するスロットを有する。この軸の端部は、極めて硬い要素内で自由に回転するピボットの両側である。駒は、特に垂直方向に二部構成になっていて、これらの部分は、軸が極めて硬い要素と共に適所に配置された時点で互いに溶接される。
【０００８】
日本国特許文献の実開昭５５−０５７３１４（特許文献２）は、駒を備え、各々の駒が上下２つの補完し合う半分の駒で形成されて連結軸を閉じ込める連結式ブレスレットを開示している。
【０００９】
ＣＡＳＩＯ  ＣＯＭＰＵＴＥＲ（カシオ計算機）の名による日本国特許文献の特開２０１５−２９８０６（特許文献３）は、使用者がバンドまたは駒の材質および色彩を自由に選択して組み合わせられるように設計された連結バンドを開示している。
【００１０】
ＬＥＷＩＳの名による米国特許第１４０５８５１Ａ号（特許文献４）は、取り外し可能な駒が駒どうしを一つに保持するための屈曲可能なアームを有しているブレスレットチェーンを開示している。
【先行技術文献】
【特許文献】
【００１１】
【特許文献１】欧州特許出願第０２４３３１５Ａ１号
【特許文献２】実開昭５５−０５７３１４
【特許文献３】特開２０１５−２９８０６
【特許文献４】米国特許第１４０５８５１Ａ号
【発明の概要】
【発明が解決しようとする課題】
【００１２】
本発明は、多種多様な材料でできた機能的かつ／または装飾性の構成要素からなり、ブレスレットの側面にはっきりと見えるピン、ネジなどの組み立て構成要素、または連結要素を挿入した後に閉じられるボアなどの挿入孔がない、またはこの連結部に特有の構成がない、組み立て式ブレスレットを製造することを提供する。
【課題を解決するための手段】
【００１３】
そのために、本発明は、請求項１に記載の連結駒のブレスレットに関する。
【００１４】
本発明は、この種のブレスレットを備えている腕時計にも関する。
【００１５】
本発明は、この種のブレスレットを備えている宝飾品にも関する。
【００１６】
本発明は、この種のブレスレットを組み立てる方法にも関する。
【００１７】
本発明の他の特徴および利点は、添付の図面を参照して以下の詳細な説明を読むことで明らかになるであろう。
【図面の簡単な説明】
【００１８】
【図１】本発明によるブレスレットの一部の概略平面図であり、このブレスレットは、大文字のＨの形をした外駒を備え、外駒は、２つの二重Ｕ字鍵状取付部を有し、各々の二重Ｕ字鍵状取付部は、「外トラニオン」と称する完全体のトラニオンを２つ有し、トラニオンは、駒の中央を向いて互いに逆向きで、各々が、内駒の下部の舌片端部に設けられたハーフベアリングと協働し、内駒は、図の左部では、Ｈ字型駒とは別の形で、この２つの外トラニオンを有する二重Ｕ字鍵状取付部に挿入される。内駒のこの下部は、この場合はブレスレットの半分の厚みにわたって延在し、連結軸を通る平面が境界であり、２つのハーフベアリングの軸はこの連結軸に沿って整列する。
【図２】図１と同様に、大文字のＨ字型をした別の駒の下部が２つの二重Ｕ字鍵状取付部を有しているが、図１の構成とは逆の構成を示す図であり、各々のＵ字鍵状取付部は、「内トラニオン」と称する完全体のトラニオンを受け入れるように構成されたハーフベアリングを有し、トラニオンは、別の内駒の舌片端部に設けられ、内駒は、図の左部では、Ｈ字型駒とは別の形で、この２つのハーフベアリングを有する二重Ｕ字鍵状取付部に挿入される。この場合は、ブレスレットの半分の厚みにわたって延在しているのはＨ字型駒の下部であり、この下部は、連結軸を通る平面が境界であり、２つのハーフベアリングの軸はこの連結軸に沿って整列する。
【図３】図２の構成によるブレスレット区分の概略斜視図であり、２つの内駒は、非限定的にこの場合はブレスレットの厚みになっていて、完全体のトラニオンを備え、トラニオンは、Ｈ字型駒の下部のそれぞれのハーフベアリングの内部に収容され、Ｈ字型駒は、内側に軽量にするためのチャンバを有する。
【図４】図３と同様に同じブレスレット区分を示す図であり、この区分は、Ｈ字型駒の上部によって完成し、上部は、ハーフベアリングを有し、このＨ字型駒の下部の上に載せられ、粘着性接着などによって、または使用者がブレスレットを着用したときは見えない下面からの付属品を用いて下部に固定されて、２つの内駒のトラニオンを見えないように閉じ込める。
【図５】図４と同様に、図１の変形例に該当する別のブレスレット区分を示す図であり、この区分は、Ｈ字型駒を備え、非限定的にこの場合はブレスレットの厚みになっていて、内駒の上下のハーフベアリングの間に見えないように閉じ込められるトラニオンを有する。
【図６】中間の留め金、および腕時計のケースなどに取付るための端部の駒を有しているような、外側のＨ字型駒と内駒からなる代替構成を含むブレスレットの概略斜視図である。
【図７】このようなブレスレットを備えている腕時計の部分概略平面図である。
【図８】このようなブレスレットを備えている宝石の部分概略平面図である。
【図９】２つの二重Ｕ字鍵状取付部を有する別の外駒の変形例を有するブレスレット区分の概略平面図であり、二重Ｕ字鍵状取付部は、２つの側部フランジを接合する横断連結材を備え、中間内駒の上部および下部の上下のハーフベアリングと協働する接続横材を有し、内駒は、横材に重なって配置されるか横材の延長上に配置されるように構成される。
【図１０】さらに別の駒の変形例を有するブレスレット区分の概略平面図であり、駒はすべてＹ字型で、上部と下部の２つでできている。
【発明を実施するための形態】
【００１９】
本発明の目的は、少なくとも旧来の見えている面、すなわち上面および側部縁面に連結部が見えないブレスレットを製造することである。さらに詳細には、本発明は、使用者の肌または衣服と接触していることが想定される下面に一切の取付要素または連結要素をなくすことも可能にする。
【００２０】
本発明は、従来の連結部を使用してさらに詳細に説明され、各々の連結部は、連結軸周りで、ベアリング内で回転するピボットまたはピボット周りに回転するベアリングと結合する。
【００２１】
本発明の原理は、複数の部分、特に、連結軸を通る平面の両側に実質的に延在している上下２つの部分に特定の駒を作製することからなる。さらに全般的には、このような二部構成の駒は、少なくとも１つのチャンバ、例えばベアリングを各々のケース内に画定して、駒と嵌合する雄型部品、例えばトラニオンを閉じ込める。
【００２２】
この駒が、各々の端部に連結部を含んでいる中間駒である場合、各々の上部または下部は、この駒の連結部の２つの軸を通る平面の両側に実質的に延在する。この駒が、一方の端部のみに１つの連結部のみを有する駒である場合、各々の上部または下部は、この駒の連結部の軸と上部と下部との間の接合面とを通る平面の両側に実質的に延在する。駒は湾曲していてよく、その場合、各々の上部または下部は実質的に駒の湾曲に沿った形で、その場合、上部と下部との間の接合面は必ずしも平面ではないことを理解すべきである。
【００２３】
図は、特定の非限定的変形例を示し、ピボットは筒状トラニオンで、ベアリングも筒状である。当然ながら、多くの他の構成が可能であり、特に、筒状トラニオンが、２つのハーフベアリングで形成されたベアリングと協働し、その各々のハーフベアリングがＶ字型の支持体を含んでいる構成、あるいはこれと似ているが逆の方法で、規則的な多角形のトラニオンが立体的にシリンダ内で内接し、筒状の輪郭をした２つのハーフベアリングで形成された筒状ベアリングと協働する構成が可能である。これらの例は、限定するものではなく、とりわけ機械加工が困難な材料でできている特定の駒の場合、機械加工作業が最も簡易であることが好ましいことがある。
【００２４】
よって、以下の説明で使用する「トラニオン」という用語および「ハーフベアリング」という用語は、筒状の形状に限定されない。この観点から、各連結部の各端部の先細り方向が逆であれば、円錐形の実施形態を実現することも可能であることに注意されたい。
【００２５】
駒が複数の部分、特に上下２部になっているという原理は、あまり一般的でない他の種類の連結部、例えば、連結部が実質的にブレスレットの長さに沿って延在し、ピンの端部にボールを備え、ボールが球状ハウジングの内部で動くという連結部などにも適用できる。
【００２６】
そのため、本発明は、連結駒２を有するブレスレット１に関する。このブレスレット１は、少なくとも第１の駒３および第２の駒４を備え、この第１の駒３とこの第２の駒４との間に少なくとも１つの連結部１０を備えている。この第２の駒４は舌片９を備え、舌片は、第１の駒３の側部フランジ５と６との間にある開口９０で回動するように構成され、側部フランジは共に二重Ｕ字鍵状取付部を形成する。
【００２７】
本発明によれば、少なくとも１つの連結部１０では、第１の駒３あるいは第２の駒４はそれぞれ、少なくとも１つの外トラニオン７３あるいは少なくとも１つの内トラニオン７４を備え、外トラニオンあるいは内トラニオンはそれぞれ、第２の駒４に設けられた少なくとも１つの内ハーフベアリング８４、あるいは第１の駒３に設けられた少なくとも１つの外ハーフベアリング８３で回動するように構成される。また、第２の駒４あるいは第１の駒３はそれぞれ、少なくとも上部４８、３８、および下部４９、３９を有し、上部および下部は、両者の間に各々の外トラニオン７３あるいは各々の内トラニオン７４を閉じ込めて隠すように構成される。
【００２８】
このブレスレット１の特定の実施形態では、上部４８、３８および下部４９、３９は、互いに取り外せないように組み合わされ、各々の外トラニオン７３あるいは各々の内トラニオン７４の周りで分解できない。この変形例により、ブレスレットの下面から目に見える装着要素をなくすことが可能になる。
【００２９】
ブレスレット１の図示していない別の特定の実施形態では、上部４８、３８、および下部４９、３９はそれぞれ、各々の外トラニオン７３、あるいは各々の内トラニオン７４の周りで互いに取り外し可能に組み合わされる。この変形例では、例えば、ブレスレットの下面からアクセスできるネジで、下部４９、３９で支えられ、上部４８、３８に設けられた見えない内ねじ山と係合するネジ、またはこれと同様の何らかの他の種類の取付手段を備えていてよい。
【００３０】
本発明の特定の実施形態では、部品数および機械加工作業数を減らすため、少なくとも１つの連結部１０で、外トラニオン７３あるいは少なくとも１つの内トラニオン７４はそれぞれ、第１の駒３あるいは第２の駒４と一体の部品である。同じく、一変形例では、内ハーフベアリング８４、あるいは外ハーフベアリング８３はそれぞれ、第２の駒４あるいは第１の駒３と一体の部品である。
【００３１】
別の実施形態では、少なくとも１つの連結部１０で、外トラニオン７３、あるいは内トラニオン７４はそれぞれ、第１の駒３あるいは第２の駒４に設けられたハウジング７３０、７４０内に配置される。同じく、一変形例では、内ハーフベアリング８４あるいは外ハーフベアリング８３はそれぞれ、第２の駒４あるいは第１の駒３に配置される。
【００３２】
特定の実施形態では、少なくとも１つの連結部１０で、外トラニオン７３あるいは少なくとも１つの内トラニオン７４は、十字型トラニオンであり、側部フランジ５と６との間で互いに接合する。
【００３３】
図１は、本発明によるブレスレット１の断面を示している。このブレスレットは、大文字のＨ字型をした外駒である第１の駒３を備え、第１の駒は、２つの二重Ｕ字鍵状取付部を有し、各々の二重Ｕ字鍵状取付部は、「外トラニオン」と称する完全体のトラニオン７３を２つ有し、前記トラニオンは、回転面を有し、この場合は駒の中央を向いて互いに逆向きであり、各々のトラニオンは、内駒である第２の駒４の下部４９の舌片端部９に設けられたハーフベアリング８４と協働し、第２の駒は、図の左部では、Ｈ字型の駒とは別の形で、この２つの外トラニオンを有する二重Ｕ字鍵状取付部に挿入される。第２の内駒４のこの下部４９は、ここではブレスレットの半分の厚みにわたって延在し、連結軸Ａを通る平面が境界であり、２つのハーフベアリングの軸はこの連結軸に沿って整列する。
【００３４】
図２は、図１の構成と逆の構成を示し、別のＨ字型をした第１の駒３の下部３９が２つのＵ字鍵状取付部を有している。各々のＵ字鍵状取付部は、「内トラニオン」と称する完全体のトラニオン７４を受け入れるように構成されたハーフベアリング８３を有し、トラニオンは、回転面を有し、この場合は別の第２の内駒４の舌片端部９に設けられ、第２の駒は、図の左部では、Ｈ字型駒とは別の形で、この２つのハーフベアリングを有する二重Ｕ字鍵状取付部に挿入される。この場合は、ブレスレットの半分の厚みにわたって延在しているのはＨ字型の駒の下部３９であり、この下部は、連結軸を通る平面が境界であり、２つのハーフベアリングの軸はこの連結軸に沿って整列する。
【００３５】
図３は、図２のこの構成を示している。２つの第２の内駒４は、非排他的にこの場合はブレスレットの厚みになっていて、完全体のトラニオン７４を備え、トラニオンは、第１のＨ字型駒３の下部３９のそれぞれのハーフベアリング８３の内部に収容され、第１の駒は、この場合は見えない内側の軽量にするためのチャンバを有するか、あるいは開口または追加の構成要素、特に宝石、カメオ、追加の装飾品などの要素一式を有していてよい。
【００３６】
図４は、同じブレスレット区分を表している。この区分は、第１のＨ字型駒３の上部３８によって完成した時点で閉じられる。この上部は、同じくハーフベアリングを有し、このＨ字型駒の下部３９の上に載せられ、粘着性接着などによって、または使用者がブレスレットを着用したときは見えない下面からの付属品を用いて下部に固定されて、２つの内駒のトラニオンを見えないように閉じ込める。この図４は、第１の駒３の上部３８と下部３９との間の接合平面Ｐを示している。この非限定的な変形例は、図の右に、トラニオン７４を形成する追加のピンを受け入れるように構成された第２の駒４のボア７４０も示している。
【００３７】
図５は、図１の変形例に該当する別のブレスレット区分を示し、この区分は、第１のＨ字型駒３を備え、第１の駒は、非排他的にこの場合はブレスレットの厚みになっていて、第２の内駒４の上部４８と下部４９の上下のハーフベアリングとの間に見えないように閉じ込められるトラニオンを有する。第１の駒の接合平面Ｐは図で見えていて、図の左には、ベアリングが２つのハーフベアリング８４で形成されている。
【００３８】
図９に見られる特定の実施形態では、第１の駒３は、側部フランジ５と６とを接合する横材９１を備えている外側のＨ字型駒であり、第２の駒４は、横材９１に重なって配置されるか横材９１の延長上に配置されるように構成される内駒である。この第１の駒３は、この場合、他の変形例の２つのトラニオンの代わりとなって第２の内駒４の上下のハーフベアリングと協働する単一の接続横材を備えている。
【００３９】
図１０に見られる特定の実施形態では、第１の駒３および第２の駒４は同じもので、Ｙ字型である。さらに詳細には、駒はすべてＹ字型で、上部と下部の２つでできている。
【００４０】
特定の実施形態では、少なくとも１つの上部４８、３８および／または少なくとも１つの下部４９、３９は、セラミック製である。
【００４１】
さらに詳細には、上部４８、３８はすべてセラミック製である。
【００４２】
さらに詳細には、下部４９、３９はすべてセラミック製である。
【００４３】
さらに詳細には、上部４８、３８および下部４９、３９はすべてセラミック製である。
【００４４】
本発明は、図７に見られるようなブレスレット１を備えている腕時計１００にも関する。
【００４５】
本発明は、図８に見られるようなブレスレット１を備えている宝飾品２００にも関する。
【００４６】
本発明はさらに、連結式ブレスレットを組み立てる方法であって、
連結軸を画定する少なくとも１つのハーフベアリングを有する二部構成の雌型駒の下部を設け、
別の雄型駒であって、回転ベアリング構成でハーフベアリングと協働でき、ハーフベアリングに挿入される少なくとも１つのトラニオンを備えている雄型駒をこの下部の上に配置し、
連結軸を画定し、回転ベアリング構成でトラニオンと協働するように構成された少なくとも１つのハーフベアリングを有する、下部の補完片である同じ二部構成駒の上部を設け、
雄型駒の各々のトラニオンを、少なくとも連結軸に沿って、下部と上部との間で閉じ込め、
下部と上部とを互いに固定し、
この作業をこのブレスレットの各々の連結式接合部に対して繰り返す
方法に関する。
【００４７】
さらに詳細には、この下部および上部は、取り外せないよう恒久的に互いに接合される。
【００４８】
要約すると、本発明は、単純な方法で連結部が見えなくなっている連結式ブレスレットを製造するものである。
【００４９】
特定の実施形態では、二部構成の駒、特に中央の駒は、ピン、またはトラニオンなどの雄型ベアリング部材を閉じ込める。
【００５０】
２つの部品は、粘着性接着、圧入、誘導溶接、誘導はんだ付けなどで固定され得る。
【００５１】
本発明は、セラミックなどの機械加工が困難な材料でできたブレスレットを作製するのに特に適している。
【００５２】
本発明の利点は、何らかの見えるピン、または何らかの見える連結部の機械加工がない点である。これによって、特に、ブレスレットの縁部を装飾に使うことが可能になる。
【符号の説明】
【００５３】
１  ブレスレット
２  連結駒
３  第１の駒
４  第２の駒
５、６  側部フランジ
９  舌片
１０  連結部
３８、４８  上部
３９、４９  下部
７３  外トラニオン
７４  内トラニオン
８３  外ハーフベアリング
８４  内ハーフベアリング
９０  開口
９１  横材
１００  腕時計
２００  宝飾片
７３０、７４０  ハウジング
【図１】
2020065921.tif 000003
【図２】
2020065921.tif 000004
【図３】
2020065921.tif 000005
【図４】
2020065921.tif 000006
【図５】
2020065921.tif 000007
【図６】
2020065921.tif 000008
【図７】
2020065921.tif 000009
【図８】
2020065921.tif 000010
【図９】
2020065921.tif 000011
【図１０】
2020065921.tif 000012
【外国語明細書】
2020065921000001.pdf